(57)【特許請求の範囲】
【請求項１】
天面壁及びこの天面壁の周縁から垂下するスカート壁を有する外蓋と、頂面壁及びこの頂面壁の周縁から垂下し内面に雌螺条が形成された側壁を有しかつ前記外蓋内に収容される内蓋との組合せからなり、前記内蓋は、前記側壁内面の前記雌螺条が、外面に雄螺条が形成されかつ前記雄螺条よりも下方の外面から半径方向外方に延びる係止突起が形成された容器口部の前記雄螺条に螺合されることにより前記容器口部を閉栓し、前記内蓋の前記頂面壁外面には上方に突出する第１係合突起と係合突条とが形成され、前記外蓋の前記天面壁内面には、下方に突出する第２係合突起と、前記外蓋の前記天面壁内面と前記内蓋の前記頂面壁外面とを相互に離隔させて前記第１係合突起と前記第２係合突起とが相互に協働し得ない状態に弾性的に維持するとともに、前記外蓋を閉栓方向に回転させる時に前記内蓋の前記係合突条と係合して前記内蓋を回転させるが、前記外蓋を開栓方向に回転させる時には、空転して前記係合突条とは係合しない弾性離隔係合片が形成されている安全蓋において；
前記外蓋の前記スカート壁の下端には、周方向に間隔をおいて配設された複数個のブリッジを介して円形のタンパーエビデントバンドが連結され、前記タンパーエビデントバンドの下端面には凹部が形成され、前記凹部により前記タンパーエビデントバンドには、上端面から前記下端面までの軸方向幅が広い幅広領域と、前記軸方向幅が狭い幅狭領域と、前記幅広領域と前記幅狭領域との境界を軸方向に延びる段部とが形成され、前記幅広領域と前記幅狭領域とはそれぞれ少なくとも１個配設され、前記内蓋が前記外蓋内に収容された状態で前記容器口部を閉栓した状態において、前記タンパーエビデントバンドの前記幅広領域の前記下端面は、前記容器口部の前記係止突起の上端面より上方に位置付けられるが、前記外蓋を下方に押圧して前記弾性離隔係合片を弾性的に撓ませると前記タンパーエビデントバンドの前記段部が前記容器口部の前記係止突起と周方向に係合可能となる、ことを特徴とする安全蓋。
【請求項２】
天面壁及びこの天面壁の周縁から垂下するスカート壁を有する外蓋と、頂面壁及びこの頂面壁の周縁から垂下し内面に雌螺条が形成された側壁を有しかつ前記外蓋内に収容される内蓋との組合せからなり、前記内蓋は、前記側壁内面の前記雌螺条が、外面に雄螺条が形成されかつ前記雄螺条よりも下方の外面から半径方向外方に延びる係止突起が形成された容器口部の前記雄螺条に螺合されることにより前記容器口部を閉栓し、前記内蓋の前記頂面壁外面には上方に突出する係合突条が形成され、前記内蓋の前記側壁外面には周方向に間隔を置いて複数個の第１ラチェット爪が形成され、前記外蓋の前記スカート壁内面には周方向に間隔を置いて複数個の第２ラチェット爪が形成され、前記外蓋の前記天面壁内面には、前記外蓋の前記天面壁内面と前記内蓋の前記頂面壁外面とを相互に離隔させかつ前記第１ラチェット爪と前記第２ラチェット爪とを軸方向に離隔させて相互に協働し得ない状態に弾性的に維持するとともに、前記外蓋を閉栓方向に回転させる時に前記内蓋の前記係合突条と係合して前記内蓋を回転させるが、前記外蓋を開栓方向に回転させる時には、空転して前記係合突条とは係合しない弾性離隔係合片が形成され、前記外蓋が前記内蓋に対し前記弾性離隔係合片の弾性力に抗して押し下げられると、前記外蓋の前記第２ラチェット爪は、前記内蓋の前記第１ラチェット爪に噛み合うことが可能な軸方向位置に移動させられ、この状態で前記外蓋を開栓方向に回転させると、前記第１ラチェット爪及び前記第２ラチェット爪が相互に噛み合って前記内蓋を開栓方向に回転させる安全蓋において；前記外蓋の前記スカート壁の下端には、周方向に間隔をおいて配設された複数個のブリッジを介して円形のタンパーエビデントバンドが連結され、前記タンパーエビデントバンドの下端面には凹部が形成され、前記凹部により前記タンパーエビデントバンドには、上端面から前記下端面までの軸方向幅が広い幅広領域と、前記軸方向幅が狭い幅狭領域と、前記幅広領域と前記幅狭領域との境界を軸方向に延びる段部とが形成され、前記幅広領域と前記幅狭領域とはそれぞれ少なくとも１個配設され、前記内蓋が前記外蓋内に収容された状態で前記容器口部を閉栓した状態において、前記タンパーエビデントバンドの前記幅広領域の前記下端面は、前記容器口部の前記係止突起の上端面より上方に位置付けられるが、前記外蓋を下方に押圧して前記弾性離隔係合片を弾性的に撓ませると前記タンパーエビデントバンドの前記段部が前記容器口部の前記係止突起と周方向に係合可能となる、ことを特徴とする安全蓋。
【請求項３】
天面壁及びこの天面壁の周縁から垂下するスカート壁を有する外蓋と、頂面壁及びこの頂面壁の周縁から垂下し内面に雌螺条が形成された側壁を有しかつ前記外蓋内に収容される内蓋との組合せからなり、前記内蓋は、前記側壁内面の前記雌螺条が、外面に雄螺条が形成されかつ前記雄螺条よりも下方の外面から半径方向外方に延びる係止突起が形成された容器口部の前記雄螺条に螺合されることにより前記容器口部を閉栓し、前記内蓋の前記頂面壁外面には上方に突出する第１係合突起が形成され、前記外蓋の前記天面壁内面には下方に突出する第２係合突起が形成され、前記外蓋の前記天面壁内面と前記内蓋の前記頂面壁外面との少なくとも一方には、前記外蓋の前記天面壁内面と前記内蓋の前記頂面壁外面とを相互に離隔させて前記第１係合突起と前記第２係合突起とが相互に協働し得ない状態に弾性的に維持すると共に、前記外蓋を押し下げて弾性的に撓ませると前記第１係合突起と前記第２係合突起とが相互に係合可能となる弾性離隔片が形成され、前記内蓋の前記側壁外面には周方向に間隔を置いて複数個の第１ラチェット爪が形成され、前記外蓋の前記スカート壁内面には周方向に間隔を置いて複数個の第２ラチェット爪が形成され、前記第１ラチェット爪及び前記第２ラチェット爪は、前記外蓋を閉栓方向に回転させる時には相互に噛み合って前記内蓋を回転させ、前記外蓋を開栓方向に回転させる時には前記外蓋を空転させる形状に形成されている安全蓋において；
前記外蓋の前記スカート壁の下端には、周方向に間隔をおいて配設された複数個のブリッジを介して円形のタンパーエビデントバンドが連結され、前記タンパーエビデントバンドの下端面には凹部が形成され、前記凹部により前記タンパーエビデントバンドには、上端面から前記下端面までの軸方向幅が広い幅広領域と、前記軸方向幅が狭い幅狭領域と、前記幅広領域と前記幅狭領域との境界を軸方向に延びる段部とが形成され、前記幅広領域と前記幅狭領域とはそれぞれ少なくとも１個配設され、前記内蓋が前記外蓋内に収容された状態で前記容器口部を閉栓した状態において、前記タンパーエビデントバンドの前記幅広領域の前記下端面は、前記容器口部の前記係止突起の上端面より上方に位置付けられるが、前記外蓋を下方に押圧して前記弾性離隔片を弾性的に撓ませると前記タンパーエビデントバンドの前記段部が前記容器口部の前記係止突起と周方向に係合可能となる、ことを特徴とする安全蓋。
【発明の詳細な説明】
【技術分野】
【０００１】
本発明は、外蓋と該外蓋内に収容される内蓋との組合せからなる安全蓋であって、チャイルドレジスタント機能に加えてタンパーエビデント機能を備えた安全蓋に関する。
【背景技術】
【０００２】
医薬品やアルコール飲料などを収容するための容器に使用される合成樹脂製の安全蓋として、特許文献１には、幼児が偶発的に容器を開封してしまって許容し得ない自体が発生することを充分確実に回避することができるチャイルドレジスタント機能を備えた安全蓋が開示されている。この安全蓋は、天面壁及びこの天面壁の周縁から垂下するスカート壁を有する外蓋と、頂面壁及びこの頂面壁の周縁から垂下し内面に雌螺条が形成された側壁を有しかつ外蓋内に収容される内蓋との組合せからなる。内蓋は、側壁内面の雌螺条が、外面に雄螺条が形成された容器口部の前記雄螺条に螺合されることにより容器口部を閉栓する。内蓋の頂面壁外面には上方に突出する第１係合突起と係合突条とが形成されている。外蓋の天面壁内面には、下方に突出する第２係合突起と、外蓋の天面壁内面と内蓋の頂面壁外面とを相互に離隔させて第１係合突起と第２係合突起とが相互に協働し得ない状態に弾性的に維持するとともに、外蓋を閉栓方向に回転させる時に内蓋の係合突条と係合して内蓋を回転させるが、外蓋を開栓方向に回転させる時には、空転して前記係合突条とは係合しない弾性離隔係合片が形成されている。
【０００３】
上記安全蓋を容器口部に装着するに際し、外蓋を閉栓方向へ回転させると、外蓋の弾性離隔係合片が内蓋の係合突条と係合して内蓋を閉栓方向に一体に回転させ、内蓋が容器口部に螺合して閉栓される。閉栓状態において外蓋を開栓方向へ回転させると、外蓋の弾性離隔係合片が内蓋の係合突条に対し係合しない周方向に回転移動させられるので、外蓋は内蓋に対し空転して安全蓋の閉栓状態が維持される。他方、閉栓状態において外蓋を内蓋に対し押し下げながら開栓方向へ回転させると、弾性離隔係合片が弾性的に撓まされて外蓋の第２係合突起が内蓋の第１係合突起と係合させられるので、内蓋が外蓋と一体に開栓方向へ回転させられて開栓される。
【先行技術文献】
【特許文献】
【０００４】
【特許文献１】特公平８−５８８号公報
【発明の概要】
【発明が解決しようとする課題】
【０００５】
特許文献１に開示された安全蓋においては、開栓する際、外蓋を内蓋に対し押し回ししない限り、チャイルドレジスタント機能が働いて幼児が誤って開栓することは防止される。しかしながら、上記安全蓋にはタンパーエビデント機能が備えられていないので、外観から上記安全蓋が開封されたものであるか否かを判別することができなかった。
【０００６】
本発明の主目的は、チャイルドレジスタント機能に加えてタンパーエビデント機能を備えた安全蓋を提供することである。
【課題を解決するための手段】
【０００７】
本発明の一局面によれば、天面壁及びこの天面壁の周縁から垂下するスカート壁を有する外蓋と、頂面壁及びこの頂面壁の周縁から垂下し内面に雌螺条が形成された側壁を有しかつ前記外蓋内に収容される内蓋との組合せからなり、前記内蓋は、前記側壁内面の前記雌螺条が、外面に雄螺条が形成されかつ前記雄螺条よりも下方の外面から半径方向外方に延びる係止突起が形成された容器口部の前記雄螺条に螺合されることにより前記容器口部を閉栓し、前記内蓋の前記頂面壁外面には上方に突出する第１係合突起と係合突条とが形成され、前記外蓋の前記天面壁内面には、下方に突出する第２係合突起と、前記外蓋の前記天面壁内面と前記内蓋の前記頂面壁外面とを相互に離隔させて前記第１係合突起と前記第２係合突起とが相互に協働し得ない状態に弾性的に維持するとともに、前記外蓋を閉栓方向に回転させる時に前記内蓋の前記係合突条と係合して前記内蓋を回転させるが、前記外蓋を開栓方向に回転させる時には、空転して前記係合突条とは係合しない弾性離隔係合片が形成されている安全蓋において；前記外蓋の前記スカート壁の下端には、周方向に間隔をおいて配設された複数個のブリッジを介して円形のタンパーエビデントバンドが連結され、前記タンパーエビデントバンドの下端面には凹部が形成され、前記凹部により前記タンパーエビデントバンドには、上端面から前記下端面までの軸方向幅が広い幅広領域と、前記軸方向幅が狭い幅狭領域と、前記幅広領域と前記幅狭領域との境界を軸方向に延びる段部とが形成され、前記幅広領域と前記幅狭領域とはそれぞれ少なくとも１個配設され、前記内蓋が前記外蓋内に収容された状態で前記容器口部を閉栓した状態において、前記タンパーエビデントバンドの前記幅広領域の前記下端面は、前記容器口部の前記係止突起の上端面より上方に位置付けられるが、前記外蓋を下方に押圧して前記弾性離隔係合片を弾性的に撓ませると前記タンパーエビデントバンドの前記段部が前記容器口部の前記係止突起と周方向に係合可能となる、ことを特徴とする安全蓋が提供される。
本発明の他の局面によれば、天面壁及びこの天面壁の周縁から垂下するスカート壁を有する外蓋と、頂面壁及びこの頂面壁の周縁から垂下し内面に雌螺条が形成された側壁を有しかつ前記外蓋内に収容される内蓋との組合せからなり、前記内蓋は、前記側壁８内面の前記雌螺条が、外面に雄螺条が形成されかつ前記雄螺条よりも下方の外面から半径方向外方に延びる係止突起が形成された容器口部の前記雄螺条に螺合されることにより前記容器口部を閉栓し、前記内蓋の前記頂面壁外面には上方に突出する係合突条が形成され、前記内蓋の前記側壁外面には周方向に間隔を置いて複数個の第１ラチェット爪が形成され、前記外蓋の前記スカート壁内面には周方向に間隔を置いて複数個の第２ラチェット爪が形成され、前記外蓋の前記天面壁内面には、前記外蓋の前記天面壁内面と前記内蓋の前記頂面壁外面とを相互に離隔させかつ前記第１ラチェット爪と前記第２ラチェット爪とを軸方向に離隔させて相互に協働し得ない状態に弾性的に維持するとともに、前記外蓋を閉栓方向に回転させる時に前記内蓋の前記係合突条と係合して前記内蓋を回転させるが、前記外蓋を開栓方向に回転させる時には、空転して前記係合突条とは係合しない弾性離隔係合片が形成され、前記外蓋が前記内蓋に対し前記弾性離隔係合片の弾性力に抗して押し下げられると、前記外蓋の前記第２ラチェット爪は、前記内蓋の前記第１ラチェット爪に噛み合うことが可能な軸方向位置に移動させられ、この状態で前記外蓋を開栓方向に回転させると、前記第１ラチェット爪及び前記第２ラチェット爪が相互に噛み合って前記内蓋を開栓方向に回転させる安全蓋において；前記外蓋の前記スカート壁の下端には、周方向に間隔をおいて配設された複数個のブリッジを介して円形のタンパーエビデントバンドが連結され、前記タンパーエビデントバンドの下端面には凹部が形成され、前記凹部により前記タンパーエビデントバンドには、上端面から前記下端面までの軸方向幅が広い幅広領域と、前記軸方向幅が狭い幅狭領域と、前記幅広領域と前記幅狭領域との境界を軸方向に延びる段部とが形成され、前記幅広領域と前記幅狭領域とはそれぞれ少なくとも１個配設され、前記内蓋が前記外蓋内に収容された状態で前記容器口部を閉栓した状態において、前記タンパーエビデントバンドの前記幅広領域の前記下端面は、前記容器口部の前記係止突起の上端面より上方に位置付けられるが、前記外蓋を下方に押圧して前記弾性離隔係合片を弾性的に撓ませると前記タンパーエビデントバンドの前記段部が前記容器口部の前記係止突起と周方向に係合可能となる、ことを特徴とする安全蓋が提供される。
本発明の更に他の局面によれば、天面壁及びこの天面壁の周縁から垂下するスカート壁を有する外蓋と、頂面壁及びこの頂面壁の周縁から垂下し内面に雌螺条が形成された側壁を有しかつ前記外蓋内に収容される内蓋との組合せからなり、前記内蓋は、前記側壁内面の前記雌螺条が、外面に雄螺条が形成されかつ前記雄螺条よりも下方の外面から半径方向外方に延びる係止突起が形成された容器口部の前記雄螺条に螺合されることにより前記容器口部を閉栓し、前記内蓋の前記頂面壁外面には上方に突出する第１係合突起が形成され、前記外蓋の前記天面壁内面には下方に突出する第２係合突起が形成され、前記外蓋の前記天面壁内面と前記内蓋の前記頂面壁外面との少なくとも一方には、前記外蓋の前記天面壁内面と前記内蓋の前記頂面壁外面とを相互に離隔させて前記第１係合突起と前記第２係合突起とが相互に協働し得ない状態に弾性的に維持すると共に、前記外蓋を押し下げて弾性的に撓ませると前記第１係合突起と前記第２係合突起とが相互に係合可能となる弾性離隔片が形成され、前記内蓋の前記側壁外面には周方向に間隔を置いて複数個の第１ラチェット爪が形成され、前記外蓋の前記スカート壁内面には周方向に間隔を置いて複数個の第２ラチェット爪が形成され、前記第１ラチェット爪及び前記第２ラチェット爪は、前記外蓋を閉栓方向に回転させる時には相互に噛み合って前記内蓋を回転させ、前記外蓋を開栓方向に回転させる時には前記外蓋を空転させる形状に形成されている安全蓋において；前記外蓋の前記スカート壁の下端には、周方向に間隔をおいて配設された複数個のブリッジを介して円形のタンパーエビデントバンドが連結され、前記タンパーエビデントバンドの下端面には凹部が形成され、前記凹部により前記タンパーエビデントバンドには、上端面から前記下端面までの軸方向幅が広い幅広領域と、前記軸方向幅が狭い幅狭領域と、前記幅広領域と前記幅狭領域との境界を軸方向に延びる段部とが形成され、前記幅広領域と前記幅狭領域とはそれぞれ少なくとも１個配設され、前記内蓋が前記外蓋内に収容された状態で前記容器口部を閉栓した状態において、前記タンパーエビデントバンドの前記幅広領域の前記下端面は、前記容器口部の前記係止突起の上端面より上方に位置付けられるが、前記外蓋を下方に押圧して前記弾性離隔片を弾性的に撓ませると前記タンパーエビデントバンドの前記段部が前記容器口部の前記係止突起と周方向に係合可能となる、ことを特徴とする安全蓋が提供される。
【発明の効果】
【０００８】
本発明に係る安全蓋によれば、チャイルドレジスタント機能に加えてタンパーエビデント機能が備えられているので、幼児が容易に開栓することを確実に防止できることに加えて、外観から開封されたものであるか否かを容易に判別することが可能となる。また本発明に係る安全蓋によれば、チャイルドレジスタント機能を備えた安全蓋に、簡単な構成及び低コストで、タンパーエビデント機能を付加することが可能である。
【図面の簡単な説明】
【０００９】
【図１】本発明に従って構成された安全蓋の第１の実施の形態における内蓋の縦断面図である。
【図２】図１に示す内蓋の上面図である。
【図３】本発明に従って構成された安全蓋の第１の実施の形態における外蓋を一部断面で示す側面図である。
【図４】図３に示す外蓋の底面図である。
【図５】本発明に従って構成された安全蓋の第１の実施の形態を一部断面で示す側面図である。
【図６】図５に示す安全蓋を容器口部と共に一部断面で示す側面図である。
【図７】図６に示す安全蓋の開栓工程の一部を示す部分側面図である。
【図８】図６に示す安全蓋の開栓工程の他の一部を示す部分側面図である。
【図９】本発明に従って構成された安全蓋の第２の実施の形態における内蓋の縦断面図である。
【図１０】図９に示す内蓋の上面図である。
【図１１】本発明に従って構成された安全蓋の第２の実施の形態における外蓋を一部断面で示す側面図である。
【図１２】図１１に示す外蓋の底面図である。
【図１３】本発明に従って構成された安全蓋の第２の実施の形態を一部断面で示す側面図である。
【図１４】図１３に示す安全蓋を容器口部と共に一部断面で示す側面図である。
【図１５】図１３のＸ−Ｘ矢視断面図であって、その一部を拡大して示す断面図である。
【図１６】本発明に従って構成された安全蓋の第３の実施の形態における内蓋の縦断面図である。
【図１７】図１６に示す内蓋の上面図である。
【図１８】本発明に従って構成された安全蓋の第３の実施の形態における外蓋を一部断面で示す側面図である。
【図１９】図１８に示す外蓋の底面図である。
【図２０】本発明に従って構成された安全蓋の第３の実施の形態を一部断面で示す側面図である。
【図２１】図２０に示す安全蓋を容器口部と共に一部断面で示す側面図である。
【図２２】図２０のＹ−Ｙ矢視断面図であって、その一部を拡大して示す断面図である。
【図２３】本発明に従って構成された安全蓋が適用される容器の口部を示す正面図である。
【図２４】図２３に示す容器口部の側面図である。
【発明を実施するための形態】
【００１０】
以下、本発明に従って構成された安全蓋の実施の形態を、図１〜図２４を参照して説明する。なお、図１〜図２４に示す実施の形態において、実質的に同一部分は同一符号で示されている。
【００１１】
先ず、図１〜図８を参照して、本発明に従って構成された安全蓋の第１の実施の形態について説明する。安全蓋１Ａは、外蓋２Ａと内蓋４Ａとの組合せから構成される。外蓋２Ａと内蓋４Ａとは、例えばポリプロピレン、ポリスチレンなどの適宜の合成樹脂から、射出成形、圧縮成形などの成形法によって成形することができる。
【００１２】
図１及び図２から理解される如く、内蓋４Ａは、円形頂面壁６と、この頂面壁６の周縁から垂下する円筒形側壁８とを有する。側壁８の内面には雌螺条１０が形成されている。頂面壁６の周縁部における外面（上面）には、上方に突出する第１係合突起１２が周方向に間隔をおいて複数個形成されている。第１係合突起１２の各々は、一定の半径方向幅及び一定の高さで頂面壁６の周縁に沿って円弧状に延びている。頂面壁６の、第１係合突起１２の各々が形成された周縁部よりも半径方向内側における外面（上面）には、上方に延びる係合突条１４が周方向に間隔をおいて複数個形成されている。相互に実質的に同じ形状及び大きさを有する係合突条１４の各々は、開栓方向側に面しかつ頂面壁６の外面から切り立って（ほぼ直角に）一定の高さ突出して半径方向に直線状に延びる開栓側係合面１４ａと、開栓側係合面１４ａの上端から閉栓方向側に頂面壁６の外面に向けて緩やかに延びる閉栓側傾斜面１４ｂとからなる。係合突条１４の各々の開栓側係合面１４ａ側の下端は頂面壁６の外面よりも低い位置に形成され、開栓側係合面１４ａの各々の下端から開栓方向側に頂面壁６の外面に向かって傾斜する係合補助傾斜面１５が形成されている。頂面壁６の内面には、比較的軟性の合成樹脂から別個に形成された円形パッキング部材１６が配設されている。
【００１３】
図３及び図４から理解される如く、外蓋２Ａは、円形天面壁１８と、この天面壁１８の周縁から垂下する円筒形スカート壁２０とを有する。天面壁１８の内面には、下方に突出する第２係合突起２２が周方向に間隔をおいて複数個形成されている。第２係合突起２２の各々は、一定の半径方向幅及び一定の高さで天面壁１８の周縁に沿って円弧状に延びている。第２係合突起２２の各々の周方向位置は、内蓋４Ａの第１係合突起１２の各々の周方向の間隔内に、周方向に隙間をおいて位置し得るよう設定されている。天面壁１８の内面であって、第２係合突起２２の各々が形成された周縁部よりも半径方向内側における内面には、下方に突出する弾性離隔係合片２４が周方向に間隔をおいて複数個形成されている。相互に実質的に同じ形状及び大きさを有する弾性離隔係合片２４の各々は、天面壁１８の内面から所定の幅及び厚みをもって閉栓方向下方に延び出し、先端面は一定の厚さで半径方向に延びている。弾性離隔係合片２４の各々は、外蓋２Ａの天面壁１８内面と内蓋４の頂面壁６外面とを相互に離隔させて第１係合突起１２と第２係合突起２２とが相互に協働し得ない状態（係合し得ない状態）に弾性的に維持するとともに、外蓋２Ａを閉栓方向に回転させる時に先端面が内蓋４Ａの係合突条１４と係合して内蓋４を一体に回転させるが、外蓋２Ａを開栓方向に回転させる時には、空転して係合突条１４とは係合しない。スカート壁２０の外面には、指の滑りを防止するためのローレット２０ａが形成されている。スカート壁２０の下端部内面には、半径方向内方に突出する環状突条２５が形成されている。環状突条２５は、内蓋４Ａの側壁８の下端部外面であって、下方に向かって外径が徐々に小さくなるよう形成された下端部外面（図1参照）を保持して内蓋４Ａの下方への移動を阻止する機能を有している。スカート壁２０の内径は、内蓋４Ａの側壁８の外径よりも幾分大きく形成されている。
【００１４】
外蓋２Ａのスカート壁２０の下端には、周方向に間隔をおいて配設された複数個の破断可能なブリッジ２６を介して円形のタンパーエビデントバンド２８（以下、TEバンド、と略称する）が連結されている。TEバンド２８の下端面には凹部３０が少なくとも１個（この実施の形態においては２個）形成されている。これらの凹部３０によりＴＥバンド２８には、上端面から下端面までの軸方向幅が広い幅広領域Ａと、該軸方向幅が狭い幅狭領域Ｂと、幅広領域Ａと幅狭領域Ｂとの境界を軸方向に延びる段部３２とが形成される。幅広領域Ａと幅狭領域Ｂとはそれぞれ少なくとも１個（この実施の形態においてはそれぞれ２個）配設される。なお、ＴＥバンド２８の上端面は、軸に直交する平面上に位置付けられ、下端面は上端面と平行である。
【００１５】
上述したとおりの構成を有する内蓋４Ａと外蓋２Ａとは、図５に示すとおりに組み合わせて使用される。すなわち、内蓋４Ａは外蓋２Ａ内に収容される。図５から理解される如く、外蓋２Ａのスカート壁２０の下端部内面に形成されている環状突条２５の内径は、内蓋４の側壁８の下端部外面の外径よりも幾分小さい。従って、外蓋２Ａ内に内蓋４Ａを収容する際には、外蓋２Ａのスカート壁２０の開口側が環状突条２５と共に半径方向外方に弾性変形させられて、内蓋４Ａが外蓋２Ａの環状突条２５内を強制的に通過させられる。そして、外蓋２Ａ内に一旦内蓋４Ａが収容されると、元の大きさ（内径）に弾性的に復帰した外蓋２Ａのスカート壁２０の環状突条２５が、内蓋４Ａの側壁８の下端部外面の下方に対向して位置付けられるので、内蓋４Ａの外蓋２Ａからの離脱が防止される。
【００１６】
図５に明確に示されているように、外蓋２Ａ内に内蓋４Ａが収容されると、外蓋２Ａの天面壁１８の内面に形成されている弾性離隔係合片２４の先端部下面が内蓋４Ａの頂面壁６の外面に当接し、これによって外蓋２Ａの天面壁１８の内面と内蓋４Ａの頂面壁６の外面とが所定間隔離隔される。この状態において、内蓋４Ａの頂面壁６の外面に形成されている第１係合突起１２と外蓋２Ａの天面壁１８の内面に形成されている第２係合突起２２とは上下方向（軸方向）に離隔されている。
【００１７】
外蓋２Ａとその内側に収容された内蓋４Ａとの組合せから成る安全蓋１Ａは、口部を備えた容器５０に適用される。図２３及び図２４に明確に示されているように、ガラス又は適宜の合成樹脂から形成することができる容器５０は、上面が開放された円筒形状の容器口部５２を有している。この容器口部５２の外周面には雄螺条５４が形成され、容器口部５２における雄螺条５４よりも下方位置、実施形態においては、雄螺条５４の下側に配設された環状の突条であるサポート５６の下側位置には、外面から半径方向外方に延びる係止突起５８が少なくとも１個、この実施の形態においては２個、容器口部５２の軸心を挟んだ半径方向対称位置に形成されている。相互に対称形状をなす係止突起５８は、一定の周方向幅及び一定の軸方向厚みを有する半径方向に細長い矩形状をなしており、接線方向の横断面は接線方向に細長い矩形をなしている。
【００１８】
上記安全蓋１Ａを容器口部５２に装着して閉栓する際には、図２３及び図２４に示す容器５０の容器口部５２に安全蓋１Ａを被嵌して外蓋２Ａを閉栓方向（図６において上方から見て時計方向）に回転させる。外蓋２Ａの閉栓方向への回転により、外蓋２Ａの天面壁１８の内面に形成されている弾性離隔係合片２４の先端面が、内蓋４Ａの頂面壁６の外面に形成された係合突条１４の切り立った開栓側係合面１４ａに当接、係合して外蓋２Ａの閉栓方向の回転が内蓋４Ａに伝えられ、内蓋４Ａが外蓋２Ａと一体に閉栓方向に回転させられる。内蓋４Ａの閉栓方向への回転により、内蓋４Ａの側壁８の内面に形成されている雌螺条１０が容器口部５２の雄螺条５４に螺合され、図６に示されているように、容器口部５２に安全蓋１Ａが締結されて閉栓される。内蓋４Ａの頂面壁６の内面に配設されたパッキング部材１６が容器口部５２の上端に密接させられて容器口部５２が密封される。上記閉栓動作中において、外蓋２Ａの第２係合突起２２の各々の下面は、内蓋４Ａの第１係合突起１２の各々の上面に対向して位置付けられるので、第１係合突起１２の各々と第２係合突起２２の各々とが係合して相互に協働することはない。内蓋４Ａが外蓋２Ａ内に収容された状態で容器口部５２を閉栓した状態において、ＴＥバンド２８の最下端である、幅広領域Ａの各々の下端面は、容器口部５２の係止突起５８の上端面より幾分上方に位置付けられる。
【００１９】
このような閉栓状態において、容器口部５２から安全蓋１Ａを離脱して容器口部５２を開封しようとして、外蓋２Ａを内蓋４Ａに対し押し下げることなく、単に開栓方向（すなわち図６において上方から見て反時計方向）に回転させても、弾性離隔係合片２４の各々が、外蓋２Ａの天面壁１８内面と内蓋４Ａの頂面壁６外面とを相互に離隔させて第１係合突起１２と第２係合突起２２とが相互に協働し得ない状態に弾性的に維持するとともに、弾性離隔係合片２４の各々の先端面が、内蓋４Ａの係合突条１４が向けられている周方向である開栓方向に回転移動するために、閉栓動作において係合されていた係合突条１４との係合が解除される。その結果、外蓋２Ａは内蓋４Ａに対し開栓方向に空転させられるので、容器口部５２から安全蓋１Ａを離脱することはできない。この空転の際、弾性離隔係合片２４の各々の先端が、係合突条１４の緩やかな閉栓側傾斜面１４ｂを通って内蓋４Ａの頂面壁６の外面から突出している係合突条１４の上端に乗り上げてから係合突条１４の切り立った開栓側係合面１４ａ側の係合補助傾斜面１５に落下させられるので、空転動作中、カチカチという音が発生し、空転状態が確認される。
【００２０】
また、外蓋２Ａを内蓋４Ａに対し押し下げることなく、単に開栓方向に回転させたとき、ＴＥバンド２８の最下端である幅広領域Ａの下端面は、容器口部５２の係止突起５８の上端面の幾分上方を該上端面に干渉することなく周方向に相対的に回転移動するので、ＴＥバンド２８の段部３２が容器口部５２の係止突起５８と周方向に係合することがなく、ブリッジ２６が破断することはない。
【００２１】
これに対し、外蓋２Ａを内蓋４Ａに対し押し下げて弾性離隔係合片２４を弾性的に撓ませながら開栓方向に回転させると、外蓋２Ａの第２係合突起２２の各々が、内蓋４Ａの第１係合突起１２の各々に対し周方向に相対移動させられることにより第１係合突起１２の各々間に落下、嵌合して相互に周方向に係合させられ、相互に協働し得る状態となる。同時に、図７に示されているように、ＴＥバンド２８の幅広領域Ａの下端面が、容器口部５２の係止突起５８の上方から周方向に相対移動させられて係止突起５８を通過すると、段部３２に相当する高さだけ軸方向に（下方に）相対移動して、幅狭領域Ｂの下端面が容器口部５２の係止突起５８の上面に接触するよう位置付けられるので、段部３２が容器口部５２の係止突起５８と周方向に係合可能となる。その結果、内蓋４Ａが第１及び第２係合突起１２及び２２を介して外蓋２Ａと一体に開栓方向に回転させられるとともに、図８に示されているように、ＴＥバンド２８の段部３２が容器口部５２の係止突起５８と周方向に係合してＴＥバンド２８の容器口部５２に対する相対回転が阻止されるので、ブリッジ２６が破断され、ＴＥバンド２８を容器口部５２に残して安全蓋１Ａを容器口部５２から離脱させることができる。
【００２２】
本発明に係る安全蓋の上記第１の実施の形態（安全蓋１Ａ）によれば、チャイルドレジスタント機能に加えてタンパーエビデント機能が備えられているので、幼児が容易に開栓することを確実に防止できることに加えて、外観から開封されたものであるか否かを容易に判別することが可能となる。また本発明に係る安全蓋１Ａによれば、外蓋２Ａのスカート壁２０の下端に、周方向に間隔をおいて配設された複数個のブリッジ２６を介して円形のＴＥバンド２８を連結し、ＴＥバンド２８に、幅広領域Ａと、幅狭領域Ｂと、両領域の境界を軸方向に延びる段部３２とを配設して、容器口部５２に係止突起５８を備えた容器５０に適用することによりチャイルドレジスタント機能を備えることができるので、簡単な構成及び低コストで、タンパーエビデント機能を付加することが可能である。
【００２３】
次に、本発明に係る安全蓋の第２の実施の形態（安全蓋１Ｂ）を、図９〜図１５を参照して説明する。安全蓋１Ｂが外蓋２Ｂと内蓋４Ｂとの組合せから構成される基本的構成は、第１の実施の形態と同じである。
【００２４】
図９及び図１０から理解される如く、内蓋４Ｂは、円形頂面壁６と、この頂面壁６の周縁から垂下する円筒形側壁８とを有する。側壁８の内面には雌螺条１０が形成されている。頂面壁６の周縁部における外面（上面）には、係合突条１４が周方向に間隔をおいて複数個形成されている。相互に実質的に同じ形状及び大きさを有する係合突条１４の各々は、それぞれ切り立って延びる開栓側係合面１４ａと、緩やかな閉栓側傾斜面１４ｂとからなり、係合突条１４の各々の開栓側における頂面壁６の外面には係合補助傾斜面１５が形成されている。これらの構成は、第１の実施の形態における構成と実質的に同じであるので更なる説明は省略する。内蓋４Ｂの側壁８外面には周方向に間隔を置いて複数個の第１ラチェット爪３４が形成されている。図１５をも参照して、相互に実質的に同じ形状及び大きさを有する第１ラチェット爪３４の各々は、側壁８外面から半径方向外方に一定の高さ延び出して軸方向に所定の長さだけ延びる第１噛合い面３４ａと、第１噛合い面３４ａの先端（半径方向先端）から側壁８外面に向かって内蓋４Ｂの開栓方向に延びる開栓方向傾斜面３４ｂとを備えている。第１噛合い面３４ａは内蓋４Ｂの閉栓方向に向けられている。頂面壁６の内面には、第１の実施の形態における構成と実質的に同じ構成を有する円形パッキング部材１６が配設されている。
【００２５】
図１１及び図１２から理解される如く、外蓋２Ｂは、円形天面壁１８と、この天面壁１８の周縁から垂下する円筒形スカート壁２０とを有する。このスカート壁２０内面には周方向に間隔を置いて複数個の第２ラチェット爪３６が形成されている。相互に実質的に同じ形状及び大きさを有する第２ラチェット爪３６の各々は、図１５に示されているように、スカート壁２０内面から半径方向内方に一定の高さ延び出して軸方向に所定の長さだけ延びる第２噛合い面３６ａと、第２噛合い面３６ａの先端（半径方向先端）からスカート壁２０内面に向かって外蓋２の閉栓方向に緩やかに延びる閉栓方向傾斜面３４ｂとを備えている。第２噛合い面３６ａは外蓋２の開栓方向に向けられている。スカート壁２０内面の直径、すなわち内径は、内蓋４Ｂの第１ラチェット爪３４の各々の先端をとおる仮想円の直径よりも幾分大きく形成されている。スカート壁２０の下端部内面には、半径方向内方に突出する環状突条２５が形成されている。
【００２６】
外蓋２Ｂの天面壁１８の周縁部における内面には、下方に突出する弾性離隔係合片２４が周方向に間隔をおいて複数個形成されている。相互に実質的に同じ形状及び大きさを有する弾性離隔係合片２４の各々は、天面壁１８の内面から所定の幅及び厚みをもって閉栓方向下方に延び出し、先端面は一定の厚さで半径方向に延びている。弾性離隔係合片２４の各々は、外蓋２Ｂの天面壁１８内面と内蓋４Ｂの頂面壁６外面とを相互に離隔させかつ第１ラチェット爪３４と第２ラチェット爪３６とを軸方向に離隔させて相互に協働し得ない状態（噛合うことができない状態）に弾性的に維持する（外蓋２Ｂの第２ラチェット爪３６が内蓋４Ｂの第１ラチェット爪３４に対し軸方向における外蓋２Ｂの天面壁１８側に離隔させられる）とともに、外蓋２Ｂを閉栓方向に回転させる時に先端面が内蓋４Ｂの係合突条１４と係合して内蓋４Ｂを一体に回転させるが、外蓋２Ｂを開栓方向に回転させる時には、空転して係合突条１４とは係合しない。スカート壁２０の外面には、指の滑りを防止するためのローレット２０aが形成されている。
【００２７】
外蓋２Bのスカート壁２０の下端には、周方向に間隔をおいて配設された複数個の破断可能なブリッジ２６を介して円形のＴＥバンド２８が連結されている。ＴＥバンド２８の構成及び機能は、第１の実施の形態において説明したＴＥバンド２８のそれらと実質的に同じであるので更なる説明は省略する。
【００２８】
上述したとおりの構成を有する内蓋４Bと外蓋２Bとは、図１３に示すとおりに組み合わせて使用される。すなわち、内蓋４Bは外蓋２B内に収容される。図１３から理解される如く、外蓋２Bのスカート壁２０の下端部内面に形成されている環状突条２５の内径は、内蓋４Bの側壁８の下端部外面の外径よりも幾分小さい。従って、第１の実施の形態におけるのと同じとおりにして、内蓋４Bは外蓋２B内に収容されかつ外蓋２Bからの離脱が防止される。外蓋２Bの天面壁１８内面の第２ラチェット爪３６と内蓋４Bの頂面壁６外面の第１ラチェット爪３４とは、先に述べたとおり、弾性離隔係合片２４の各々により軸方向に離隔させられて相互に協働し得ない状態（噛み合うことができない状態）に位置付けられている。
【００２９】
図１４を参照して、上記安全蓋１Bを容器口部５２に装着して閉栓する際には、容器口部５２に安全蓋１Bを被嵌して外蓋２Bを閉栓方向（図１４において上方から見て時計方向）に回転させる。外蓋２Bの閉栓方向への回転により、外蓋２Bの天面壁１８の内面に形成されている弾性離隔係合片２４の先端面が、内蓋４Bの頂面壁６の外面に形成された係合突条１４の切り立った開栓側係合面１４ａに当接、係合して外蓋２Bの閉栓方向の回転が内蓋４Bに伝えられ、内蓋４Bが外蓋２Bと一体に閉栓方向に回転させられる。内蓋４Bの閉栓方向への回転により、内蓋４Bの側壁８の内面に形成されている雌螺条１０が容器口部５２の雄螺条５４に螺合され、容器口部５２に安全蓋１Bが締結されて閉栓される。内蓋４Bの頂面壁６の内面に配設されたパッキング部材１６が容器口部５２の上端に密接させられて容器口部５２が密封される。上記閉栓動作中において、外蓋２Bのスカート壁２０内面の第２ラチェット爪３６と内蓋４Bの側壁８外面の第１ラチェット爪３４とは、先に述べたとおり、弾性離隔係合片２４の各々により軸方向に離隔させられて相互に噛み合うことはない。内蓋４Bが外蓋２B内に収容された状態で容器口部５２を閉栓した状態において、ＴＥバンド２８の最下端である、幅広領域Ａの各々の下端面は、容器口部５２の係止突起５８の上端面より幾分上方に位置付けられる。
【００３０】
このような閉栓状態において、容器口部５２から安全蓋１Bを離脱して容器口部５２を開封しようとして、外蓋２Bを内蓋４Bに対し押し下げることなく、単に開栓方向（すなわち図１４において上方から見て反時計方向）に回転させても、弾性離隔係合片２４の各々が、外蓋２Bの天面壁１８内面と内蓋４Bの頂面壁６外面とを相互に離隔させて外蓋２Bのスカート壁２０内面の第２ラチェット爪３６と内蓋４Bの側壁８外面の第１ラチェット爪３４とは、先に述べたとおり、弾性離隔係合片２４の各々により軸方向に離隔させられて相互に協働し得ない状態（噛み合うことができない状態）に維持されるとともに、弾性離隔係合片２４の各々の先端面が、内蓋４の係合突条１４が向けられている周方向である開栓方向に回転移動するために、閉栓動作において係合されていた係合突条１４との係合が解除される。その結果、外蓋２Bは内蓋４Bに対し開栓方向に空転させられるので、容器口部５２から安全蓋１Bを離脱することはできない。この空転の際、弾性離隔係合片２４の各々の先端が、係合突条１４の緩やかな閉栓側傾斜面１４ｂを通って内蓋４Bの頂面壁６の外面から突出している係合突条１４の上端に乗り上げてから係合突条１４の切り立った開栓側係合面１４ａ側の係合補助傾斜面１５に落下させられるので、空転動作中、カチカチという音が発生し、空転状態が確認される。
【００３１】
また、外蓋２Bを内蓋４Bに対して押し下げることなく、単に開栓方向に回転させたとき、ＴＥバンド２８の最下端である幅広領域Ａの下端面は、容器口部５２の係止突起５８の上端面の幾分上方を該上端面に干渉することなく周方向に相対的に回転移動するので、ＴＥバンド２８の段部３２が容器口部５２の係止突起５８と周方向に係合することがなく、ブリッジ２６が破断することはない。
【００３２】
これに対し、外蓋２Bを下方に押圧して弾性離隔係合片２４を弾性的に撓ませながら開栓方向に回転させると、外蓋２の第２ラチェット爪３６が、内蓋４の前記第１ラチェット爪３４に噛み合うことが可能な軸方向位置に移動させられるので、第２ラチェット爪３６の第２噛合い面３６a（図１５）が第１ラチェット爪３４の第１噛合い面３４a（図１５）に噛み合って内蓋４Bを開栓方向に一体に回転させる。同時に、第１の実施の形態におけるのと実質的に同じとおりにして、ＴＥバンド２８の段部３２が容器口部５２の係止突起５８と周方向に係合可能となる。その結果、内蓋４Bが第１及び第２ラチェット爪３４及び３６を介して外蓋２Bと一体に開栓方向に回転させられるとともに、ＴＥバンド２８の段部３２が容器口部５２の係止突起５８と周方向に係合してＴＥバンド２８の容器口部５２に対する相対回転が阻止されるので、ブリッジ２６が破断され、ＴＥバンド２８を容器口部５２に残して安全蓋１Bを容器口部５２から離脱させることができる。
【００３３】
本発明に係る安全蓋の上記第２の実施形態においても、チャイルドレジスタント機能に加えてタンパーエビデント機能が備えられているので、先に述べた第１の実施の形態におけるのと実質的に同じ効果を奏することができる。
【００３４】
次に、本発明に係る上記安全蓋の第３の実施の形態（安全蓋１Ｃ）を、図１６〜図２２を参照して説明する。安全蓋１Ｃが外蓋２Ｃと内蓋４Ｃとの組合せから構成される基本的構成は、第１及び第２の実施の形態と同じである。
【００３５】
図１６及び図１７から理解される如く、内蓋４Ｃは、円形頂面壁６と、この頂面壁６の周縁から垂下する円筒形側壁８とを有する。側壁８の内面には雌螺条１０が形成されている。頂面壁６の周縁部における外面（上面）には、第１の実施の形態におけるのと実質的に同じ構成を有する第１係合突起１２が周方向に間隔をおいて複数個形成されている。内蓋４Ｃの側壁８外面には周方向に間隔を置いて複数個の第１ラチェット爪３４が形成されている。図２２をも参照して、相互に実質的に同じ形状及び大きさを有する第１ラチェット爪３４の各々は、側壁８外面から半径方向外方に一定の高さ延び出して軸方向に所定の長さだけ延びる第１噛合い面３４ａと、第１噛合い面３４ａの先端から側壁８外面に向かって内蓋４Cの閉栓方向に緩やかに延びる閉栓方向傾斜面３４ｂとを備えている。第１噛合い面３４ａは内蓋４Cの開栓方向に向けられている。頂面壁６の内面には、第１の実施の形態における構成と実質的に同じ構成を有する円形パッキング部材１６が配設されている。
【００３６】
図１８及び図１９から理解される如く、外蓋２Ｃは、円形天面壁１８と、この天面壁１８の周縁から垂下する円筒形スカート壁２０とを有する。スカート壁２０の内面には、周方向に間隔を置いて複数個の第２ラチェット爪３８が形成されている。相互に実質的に同じ形状及び大きさを有する第２ラチェット爪３８の各々は、図２２に明示されているように、スカート壁２０の内面から半径方向内方にかつ閉栓方向に所定の長さだけ延び出す弾性フラップ片からなる。フラップ片の各々は、同じ横断面をもって軸方向に所定の長さ延びている。フラップ片の各々の先端には、軸方向に細長い矩形状の第２噛合い面３８ａが形成されている。第２噛合い面３８ａは外蓋２Cの閉栓方向に向けられている。上記説明から明らかなように、第１ラチェット爪３４及び第２ラチェット爪３８は、外蓋２Cを閉栓方向に回転させる時にはそれぞれ切り立った第１噛合い面３４ａと第２噛合い面３８ａとが相互に噛み合って内蓋４Cを回転させ、外蓋２Cを開栓方向に回転させる時には外蓋２Cを空転させる形状に形成されている。また、第１ラチェット爪３４及び第２ラチェット爪３８は、軸方向の相対位置が変化しても、上記動作が常時可能となるように、相互の軸方向位置が設定されている。
【００３７】
外蓋２Ｃの天面壁１８の周縁部における内面には、第１の実施の形態におけるのと実質的に同じ構成を有する第２係合突起２２が周方向に間隔をおいて複数個形成されている。天面壁１８の内面であって、第２係合突起２２の各々が形成された周縁部よりも半径方向内側における内面には、下方に突出する弾性離隔片４０が周方向に間隔をおいて複数個形成されている。相互に実質的に同じ形状及び大きさを有する弾性離隔片４０の各々は、天面壁１８の内面から所定の半径方向幅及び軸方向厚みをもって閉栓方向下方に延び出している。弾性離隔片４０の各々は、外蓋２Cの天面壁１８内面と内蓋４Cの頂面壁６外面とを相互に離隔させて第１係合突起１２と第２係合突起２２とが相互に協働し得ない状態（係合し得ない状態）に弾性的に維持するとともに、外蓋２Cを押し下げて弾性的に撓ませると第１係合突起１２と第２係合突起２２とが相互に係合可能となるよう構成されている。スカート壁２０の外面には、指の滑りを防止するためのローレット２０aが形成されている。スカート壁２０の下端部内面には、半径方向内方に突出する環状突条２５が形成されている。スカート壁２０の内径は、内蓋４Cの側壁８の外径よりも幾分大きく形成されている。
【００３８】
外蓋２Cのスカート壁２０の下端には、周方向に間隔をおいて配設された複数個の破断可能なブリッジ２６を介して円形のＴＥバンド２８が連結されている。ＴＥバンド２８の構成及び機能は、第１の実施の形態において説明したＴＥバンド２８のそれらと実質的に同じであるので更なる説明は省略する。
【００３９】
上述したとおりの構成を有する内蓋４Cと外蓋２Cとは、図２０に示すとおりに組み合わせて使用される。すなわち、内蓋４Cは外蓋２C内に収容される。内蓋４Cを外蓋２C内に収容する際には、外蓋２Cのスカート壁２０の開口側が環状突条２５と共に半径方向外方に弾性変形させられて、内蓋４Cの下端部が外蓋２Cの環状突条２５内を強制的に通過させられる。そして、外蓋２C内に一旦内蓋４Cが収容されると、元の大きさ（内径）に弾性的に復帰した外蓋２Cのスカート壁２０の環状突条２５が内蓋４Cの側壁８の下端部の下方に対向して位置付けられるので、外蓋２Cからの内蓋４Cの離脱が防止される。
【００４０】
上記安全蓋１Cを容器口部５２に装着して閉栓する際には、容器口部５２に安全蓋１Cを被嵌して外蓋２Cを閉栓方向（図２１において上方から見て時計方向）に回転させる。外蓋２Cの閉栓方向への回転により、図２２に示されているように、外蓋２Cの第２ラチェット爪３８の第２噛合い面３８ａが内蓋４Cの第１ラチェット爪３４の第１噛合い面３４ａに噛み合って内蓋４Cを一体に閉栓方向へ回転させる。内蓋４Cの閉栓方向への回転により、内蓋４Cの側壁８の内面に形成されている雌螺条１０が容器口部５２の雄螺条５４に螺合され、図２１に示されているように、容器口部５２に安全蓋１Cが締結されて閉栓される。内蓋４Cの頂面壁６の内面に配設されたパッキング部材１６が容器口部５２の上端に密接させられて容器口部５２が密封される。上記閉栓動作中において、内蓋４Cの第１係合突起１２と外蓋２Cの第２係合突起２２とは、弾性離隔片４０の各々により軸方向に離隔させられて相互に係合することはない。なお、第１及び第２ラチェット爪３４及び３８が上記したとおりにして噛合った状態において、内蓋４Cの第１係合突起１２と外蓋２Cの第２係合突起２２とは、相互に対向する位置に位置付けられるので、弾性離隔片４０の各々の弾性力に抗して外蓋２Cの天面壁１８が内蓋４Cの頂面壁６に向かって相対移動しようとしても、外蓋２Cの第２係合突起２２の下面が内蓋４Cの第１係合突起１２の上面に突き当たって、両者が係合することはない。内蓋４Cが外蓋２C内に収容された状態で容器口部５２を閉栓した状態において、ＴＥバンド２８の最下端である、幅広領域Ａの各々の下端面は、容器口部５２の係止突起５８の上端面より幾分上方に位置付けられる。
【００４１】
このような閉栓状態において、容器口部５２から安全蓋１Cを離脱して容器口部５２を開封しようとして、外蓋２Cを内蓋４Cに対して押し下げることなく、単に開栓方向（すなわち図２１において上方から見て反時計方向）に回転させても、弾性離隔片４０の各々が、外蓋２Cの天面壁１８内面と内蓋４Cの頂面壁６外面とを相互に離隔させて第１係合突起１２と第２係合突起２２とが相互に協働し得ない状態に弾性的に維持するとともに、外蓋２Cの第２ラチェット爪３８であるフラップ片の各々の先端の第２噛合い面３８ａが、内蓋４Cの第１ラチェット爪３４の各々の第１噛合い面３４ａが向けられている開栓方向に回転移動するために、閉栓動作において噛合っていた第１噛合い面３４ａとの係合が解除される。その結果、外蓋２Cは内蓋４Cに対し開栓方向に空転させられるので、容器口部５２から安全蓋１Cを離脱することはできない。この空転の際、第２ラチェット爪３８であるフラップ片の各々の先端が、内蓋４Cの側壁８の内面から突出している第１ラチェット爪３４の各々の第１噛合い面３４ａの閉栓方向傾斜面３４ｂを通って第１噛合い面３４ａの先端に乗り上げてから該内面に落下させられるので、空転動作中、カチカチという音が発生し、空転状態が確認される。
【００４２】
また、外蓋２Cを内蓋４Cに対して押し下げることなく、単に開栓方向に回転させたとき、ＴＥバンド２８の最下端である幅広領域Ａの下端面は、容器口部５２の係止突起５８の上端面の幾分上方を該上端面に干渉することなく周方向に相対的に回転移動するので、ＴＥバンド２８の段部３２が容器口部５２の係止突起５８と周方向に係合することがなく、ブリッジ２６が破断することはない。
【００４３】
これに対し、外蓋２Cを下方に押圧して弾性離隔片４０を弾性的に撓ませながら開栓方向に回転させると、外蓋２Cの第２ラチェット爪３８であるフラップ片と内蓋４Cの第１ラチェット爪３４の各々とは相互に噛合うことがないが、外蓋２Cの第２係合突起２２の各々が内蓋４Cの第１係合突起１２の各々間に落下し、嵌合して相互に周方向に係合させられ、相互に協働し得る状態となる。同時に、第１の実施の形態におけるのと実質的に同じとおりにして、ＴＥバンド２８の段部３２が容器口部５２の係止突起５８と周方向に係合可能となる。その結果、内蓋４Cが第１及び第２係合突起１２及び２２を介して外蓋２Cと一体に開栓方向に回転させられるとともに、ＴＥバンド２８の段部３２が容器口部５２の係止突起５８と周方向に係合してＴＥバンド２８の容器口部５２に対する相対回転が阻止されるので、ブリッジ２６が破断され、ＴＥバンド２８を容器口部５２に残して安全蓋１Cを容器口部５２から離脱させることができる。
【００４４】
本発明に係る安全蓋の上記第３の実施の形態においても、チャイルドレジスタント機能に加えてタンパーエビデント機能が備えられているので、先に述べた第１の実施の形態におけるのと実質的に同じ効果を奏することができる。
【００４５】
本発明に係る安全蓋の上記実施の形態において、容器口部５２には係止突起５８が２個形成され、ＴＥバンド２８には凹部３０が2個形成されているが、少なくとも1個の係止突起５８に対し、多数の凹部３０を形成する他の実施形態もある。この実施形態によれば、ＴＥバンド２８には多数の段部３２が形成されるので、少ない回転で係止突起５８に係止させることが可能になる。また、本発明に係る安全蓋の上記実施の形態において、ＴＥバンド２８の段部３２は軸方向に延びており、容器口部５２の係止突起５８の周方向の一側面であって、開栓動作時に段部３２が当接する一側面も軸方向に延びているが、開栓動作時に係止突起５８の周方向の一側面に当接させられる段部３２及び／又は係止突起５８の周方向の一側面であって、開栓動作時に段部３２が当接する一側面を、下方に向かって開栓方向に傾斜させる他の実施形態もある。これらの実施形態によれば、段部３２と係止突起５８との開栓時における係止力を向上させることが可能になる。本発明に係る安全蓋の上記実施の形態において、弾性離隔片４０の各々は、天面壁１８の内面から所定の半径方向幅及び軸方向厚みをもって閉栓方向下方に延び出しているが、その機能を満足する限りにおいて、延び出す方向は適宜に設定すればよい。
【符号の説明】
【００４６】
１A、１B、１C：安全蓋
２A、２B、２C：外蓋
４A、４B、４C：内蓋
６：頂面壁
８：側壁
１２：第１係合突起
１４：係合突条
１４ａ：開栓側係合面
１４ｂ：閉栓側傾斜面
１５：係合補助傾斜面
１８：天面壁
２０：スカート壁
２２：第２係合突起
２４：弾性離隔係合片
２５：環状突条
２８：タンパーエビデントバンド
３０：凹部
３２：段部
３４：第１ラチェット爪
３４ａ：第１噛合い面
３４ｂ：開栓方向傾斜面
３６：第２ラチェット爪
３８：第２ラチェット爪（弾性フラップ片）
３６ａ、３８ａ：第２噛合い面
４０：弾性離隔片
５０：容器
５２：容器口部
５８：係止突起
Ａ：幅広領域
Ｂ：幅狭領域
【図１】
0005679879.tif 000002
【図２】
0005679879.tif 000003
【図３】
0005679879.tif 000004
【図４】
0005679879.tif 000005
【図５】
0005679879.tif 000006
【図６】
0005679879.tif 000007
【図７】
0005679879.tif 000008
【図８】
0005679879.tif 000009
【図９】
0005679879.tif 000010
【図１０】
0005679879.tif 000011
【図１１】
0005679879.tif 000012
【図１２】
0005679879.tif 000013
【図１３】
0005679879.tif 000014
【図１４】
0005679879.tif 000015
【図１５】
0005679879.tif 000016
【図１６】
0005679879.tif 000017
【図１７】
0005679879.tif 000018
【図１８】
0005679879.tif 000019
【図１９】
0005679879.tif 000020
【図２０】
0005679879.tif 000021
【図２１】
0005679879.tif 000022
【図２２】
0005679879.tif 000023
【図２３】
0005679879.tif 000024
【図２４】
0005679879.tif 000025